(57)【要約】      （修正有）【課題】健康な高齢者や呼吸機能の低下した患者等に使用されることを想定した感染防止型のブローイングトレーニング装置を提供する。【解決手段】呼吸機能のトレーニングをおこなう感染防止型ブローイングトレーニング装置１であって、内腔を有する容器１１と、容器内腔１２と連絡する管路を有したマウスピース部１３と、容器内腔１２の圧力を感知するセンサー部１５と、センサー情報を視覚もしくは聴覚情報として認識可能に表示する表示部１８を有し、センサー部１５は容器内腔１２もしくは、内腔と連絡した管路に対し着脱可能とし、マウスピース部１３とセンサー部１５の間に容器内腔１２が位置する。容器内腔１２もしくは、内腔と連絡した管路のいずれかに、内腔外につながる空気穴１９を設けた。【選択図】図１
0003216020.tif 000002
【実用新案登録請求の範囲】
【請求項１】
主に高齢者や患者の呼吸機能のトレーニングをおこなう感染防止型ブローイングトレーニング装置において、
内腔を有する容器と
容器内腔と連絡する管路を有したマウスピース部と
容器内腔の圧力を感知するセンサー部と
センサー情報を視覚もしくは聴覚情報として認識可能に表示する表示部を有し
センサー部は容器内腔もしくは、内腔と連絡した管路に対し着脱可能とし
マウスピースとセンサー部の間に容器内腔が位置する
ことを特徴とする。
【請求項２】
容器内腔もしくは、内腔と連絡した管路のいずれかに、内腔外につながる空気穴を設けた
ことを特徴とする請求項1の感染防止型ブローイングトレーニング装置
【請求項３】
測定値の圧力レベルに応じて段階的に異なる音が鳴る機能を有した
ことを特徴とする請求項1の感染防止型ブローイングトレーニング装置
【考案の詳細な説明】
【技術分野】
【０００１】
この発明は、健康な高齢者や呼吸機能の低下した患者等に使用されることを想定した感染防止型のブローイングトレーニング装置に関する。
【背景技術】
【０００２】
従来の技術として、健康促進を目的とした吹き戻しや呼気圧測定装置がある。
【０００３】
吹き戻しは、吸気吹き込み部と空気管路部、空気により伸縮する弾性材からなる。
【０００４】
呼気圧測定装置は、吹き戻し等の空気圧を測定する装置である。
【０００５】
いずれも健康促進の目的として使われることを特徴とする。
【先行技術文献】
【特許文献】
【０００６】
【特許文献１】実新３１３７９４４号公報
【０００７】
【特許文献２】特開２０１４−２３３４７１号公報
【考案の概要】
【考案が解決しようとする課題】
【０００８】
しかしながら、これらの装置では、高齢者や呼吸機能の弱まった患者に使うには課題があった。
【０００９】
吹き戻しの場合は、呼吸機能の弱まった患者では、弾性部材を伸ばすことができるレベルの息を吐くことができず、弾性部材を進展させることができないという課題があった。
【００１０】
また、複数の患者で使うためにマウスピースを着脱可能とした吹き戻しもあるが、唾液がマウスピースの先の管路に付着した場合、感染のリスクがある。
【００１１】
呼気圧測定装置は、吹き戻しの内部の圧力を数値化することができるが、基本構造が吹き戻しであるため、唾液がマウスピースや管路に付着した場合、感染のリスクがある。
【００１２】
特に介護施設や病院等、高齢者が多く出入りする施設で使用した場合、感染を拡大させる危険性がある。
【００１３】
また、吹き戻しは、材質や形状、寸法等の違いにより複数種存在している為、進展させる為に必要な圧力が機種毎に異なる。
【００１４】
その為、研究等で測定数値を患者間で比較したい場合に、機種が同一でなければ比較できないという課題がある。
【００１５】
近年のトレーニング装置では、医学的なエビデンスが重要である。
【００１６】
患者間比較や施設を越えての比較検討が重要となる。
【課題を解決するための手段】
【００１７】
以上の課題を解決するために、感染防止型ブローイングトレーニング装置は、圧力センサーを着脱自在とし、唾液が付着する可能性のある経路を洗浄可能もしくは、使い捨て可能とし、患者間での測定値の比較を可能としたことを特徴とする。
【考案の効果】
【００１８】
本発明によれば、高齢者や呼吸機能の弱まった患者に対し、感染のリスクなく、ブローイングのトレーニングを行うことが可能となる。
【図面の簡単な説明】
【００１９】
【図１】この発明の第一の実施形態を示すシステム外観図である。
【図２】この発明の第二の実施形態を示すシステム外観図である。
【図３】この発明の第三の実施形態を示すシステム外観図である。
【考案を実施するための形態】
【００２０】
この発明の第一の実施形態を図１に示す。
【００２１】
感染防止型ブローイングトレーニング装置1は、
呼気や唾液のチャンバーとなる容器１１
容器１１の内腔である容器内腔１２
高齢者等が口で加えるマウスピース部１３
容器内腔１２と連絡するマウスピース内腔１４
高齢者の呼気の圧力を計測するセンサー部１５
センサー部１５と容器内腔１２が着脱自在に接続可能な着脱部１６
センサー部１５の計測値を表示する表示器１８
容器内腔１２と内腔外をつなぐ空気穴１９
を有している。
【００２２】
容器１１やマウスピース部１３、管路１７は患者が息を吹く際に唾液が触れる部分となるため、防水構造で洗浄可能なことが望ましい。
別の形態として、洗浄が難しい場面での使用を想定して、使い捨ての構造としても良い。
【００２３】
センサー部１５は、容器内腔１２とつながる管路１７、マウスピース内腔１４のいずれかに対して着脱自在とすることで、容器１１、マウスピース１３、を交換、繰り返し使用することができる。
【００２４】
センサー部１５と表示器１８の接続は、有線でも無線でも構わない。
【００２５】
表示器１８の表示は、Pａ（パスカル）やｍｍHg、ｂａｒ、ａｔｍ等、圧力を示す数値でもよく、圧力レベルに応じて段階的に色別等でレベル表示する表示器でも良い。
表示は、視覚的なもの以外にも、圧力レベルに応じて段階的に音階を変えて鳴らす音でも良い。
【００２６】
マウスピース部１３の断面形状は、高齢者がくわえた際に吹く息がマウスピース１３の両脇から漏れにくいように横長となるような形状が好ましい。
材質は、生体適合に適した材質が望ましく、シリコンなどの軟性樹脂や、ポリエチレン、ポリプロピレン、ABS、アクリル、ナイロン、ポリアセタール、ポリカーボネート等の硬質樹脂、ポリスルホンやポリテトラフロロエチレン等のエンジニアプラスチックでも良い。
【００２７】
空気穴１９の穴のサイズを変えることで、高齢者が吹く際の抵抗を調整できる。
空気穴１９は必須ではないが、持続的にブローイングトレーニングを行わせたい場合は、空気穴１９を設けた方が良い。
空気穴１９の穴サイズは、固定でも可変でも構わない。
【００２８】
この発明の第二の実施形態を図２に示す。
【００２９】
容器１１は、ボトル状や袋状でも良いが、唾液がセンサー部１５に触れなければ良く、内腔を有した管路１７でも構わない。
【００３０】
管路１７は、シリコン等、洗浄性と可とう性を有したチューブが望ましいが、硬質のパイプでも構わない。
【００３１】
この発明の第三の実施形態を図３に示す。
【００３２】
センサー部１５と表示器１８はワイヤレス接続されている。ｂｌｕｅｔｏｏｔｈやｗｉｆｉでもよく、それ以外の無線規格でも構わない。
【００３３】
表示は、圧力のリアルタイム値、最大値以外にも縦軸に圧力、横軸に時間をとることで、経時的な変化をグラフとして見ることができる。
計測データは、ｃｓｖ形式等でパソコンに出力することで、研究の際の解析にも活用出来る。
【００３４】
空気穴１９は、管路１７に設けてある。
空気穴１９は吐息が容器内腔１２から外気等に排出されればよく、容器１１、管路１７、マウスピース部１３のいずれに空いていても構わない。
【００３５】
「実施形態の効果」
この実施形態によれば、高齢者や呼吸機能の弱まった患者に対し、感染のリスクなく、ブローイングのトレーニングを行うことが可能となる効果がある。
【符号の説明】
【００３６】
１・・・感染防止型ブローイングトレーニング装置
１１・・・容器
１２・・・容器内腔
１３・・・マウスピース部
１４・・・マウスピース内腔
１５・・・センサー部
１６・・・着脱部
１７・・・管路
１８・・・表示器
１９・・・空気穴
【図１】
0003216020.tif 000003
【図２】
0003216020.tif 000004
【図３】
0003216020.tif 000005
【手続補正書】
【提出日】平成30年2月20日(2018.2.20)
【手続補正１】
【補正対象書類名】実用新案登録請求の範囲
【補正対象項目名】全文
【補正方法】変更
【補正の内容】
【実用新案登録請求の範囲】
【請求項１】
呼吸機能のトレーニングをおこなう感染防止型ブローイングトレーニング装置において、
内腔を有する容器と
容器内腔と連絡する管路を有したマウスピース部と
容器内腔の圧力を感知するセンサー部と
センサー情報を視覚もしくは聴覚情報として認識可能に表示する表示部を有し
センサー部は容器内腔もしくは、内腔と連絡した管路に対し着脱可能とし
マウスピース部とセンサー部の間に容器内腔が位置する
ことを特徴とする。
【請求項２】
容器内腔もしくは、内腔と連絡した管路のいずれかに、内腔外につながる空気穴を設けた
ことを特徴とする請求項1の感染防止型ブローイングトレーニング装置
【請求項３】
測定値の圧力レベルに応じて段階的に異なる音が鳴る機構を有した
ことを特徴とする請求項1の感染防止型ブローイングトレーニング装置